(57)【要約】【課題】測定器における、マーカを使用した表データの入力方法を提供する。【解決手段】本発明の実施形態によれば、測定器６０は、測定ポイントと基準ポイントを示す受動要素としてマーカ２５を使用し、またそのマーカ２５を使用してデータを入力する。グラフ２１上にマーカ２５を置き、ユーザが測定器６０のキーパッド上の所定のキー６１、６４を選択したときに、測定器６０は、マーカ２５によって表された少なくとも１つの値をアクティブな表２２に入力する。【選択図】図７
2006343332.tif 000002
【特許請求の範囲】
【請求項１】
測定ポイントと基準ポイントを示すために受動要素としてマーカを使用する測定器において、前記マーカを使用してデータを入力する方法であって、
ユーザがグラフ上にマーカを配置し、前記測定器のキーパッド上の所定のキーを選択したときに、前記測定器が、前記マーカによって表された少なくとも１つの値をアクティブな表に入力するステップを含む、方法。
【請求項２】
前記少なくとも１つの値が、
周波数および振幅位置のペアと、
時間および振幅位置のペアと、
振幅値と、
前記グラフ上のトレースに対する前記マーカの相対位置に基づくデルタ値と、
のうちの１つを含む、請求項１に記載の方法。
【請求項３】
前記少なくとも１つの値が、前記グラフ上のトレースに対する前記マーカの相対位置に基づいたデルタ値のペアを含む、請求項１に記載の方法。
【請求項４】
前記表が、
リミット・ライン表と、
ライン表と、
補正表と、
のうちの１つである、請求項１に記載の方法。
【請求項５】
前記所定のキーが、ソフトキーである、請求項１に記載の方法。
【請求項６】
表示装置と、
キーパッド入力と、
測定ポイントおよび基準ポイントを示す受動要素として使用されるマーカの前記表示装置上の位置を制御するために使用されるつまみと、
を備え、
ユーザが前記表示装置上に表示されたグラフ上に前記マーカを配置し、前記キーパッド入力上の所定のキーを選択したときに、測定器が、前記マーカによって表された少なくとも１つの値をアクティブな表に入力する、測定器。
【請求項７】
前記測定器が、スペクトラム・アナライザである、請求項６に記載の測定器。
【請求項８】
前記少なくとも１つの値が、
周波数および振幅位置のペアと、
時間および振幅位置のペアと、
振幅値と、
前記グラフ上のトレースに対する前記マーカの相対位置に基づくデルタ位置のペアと、
前記グラフ上のトレースに対する前記マーカの相対位置に基づくデルタ値と、
のうちの１つを含む、請求項６に記載の測定器。
【請求項９】
前記表が、
リミット・ライン表と、
ライン表と、
補正表と、
のうちの１つである、請求項６に記載の測定器。
【請求項１０】
前記所定のキーが、ソフトキーである、請求項６に記載の測定器。
【発明の詳細な説明】
【技術分野】
【０００１】
本発明は、一般に、測定器における表データの入力に関し、特に、マーカを使用した表データ入力に関する。
【背景技術】
【０００２】
従来のスペクトラム・アナライザでは、リミット・ライン表、ライン表、補正表などの表のデータは、表示された画面上の表に各ポイントごとに手作業で入力される。一般に、ユーザは、例えば各入力の周波数と振幅値をタイプ入力することによって各ポイントを表に入力する。この作業は退屈で間違いを起こしやすい。
スペクトラム・アナライザにおいて、測定データの位置インジケータまたは高度計算用の基準ポインタである受動要素としてマーカが使用される。
【発明の開示】
【０００３】
本発明の実施形態によれば、測定器は、測定ポイントと基準ポイントを示す受動要素としてマーカを使用し、またそのマーカを使用してデータを入力する。グラフ上にマーカを置き、ユーザが測定器のキーパッド上の所定のキーを選択すると、測定器は、マーカによって表された値をアクティブな表に入力する。
【発明を実施するための最良の形態】
【０００４】
図１は、測定器６０の簡略化した図を示す。例えば、測定器６０は、スペクトラム・アナライザである。測定器６０は、表示装置６２と、ユーザから入力を受け取るために使用される様々なキー６４からなるキーパッドとを有する。キーパッドは、また、表示装置６２に示されたソフトキーに対応するキーの列６１を有する。測定器６０は、また、調整つまみ６３を有する。
【０００５】
さらに後で示すように、測定器６０は、測定ポイントと基準ポイントを示す受動要素としてマーカを使用する他に、表にデータを入力するためにマーカを使用する。例えば、表は、リミット・ライン表、ライン表、または補正表である。
【０００６】
例えば、ユーザがグラフ上にマーカを置き、キー６１かキー６４の一方を選択したときに、測定器６０は、マーカによって表された１つまたは複数の値をアクティブな表に入力する。測定器６０が固定モードのとき、この値には、例えば、周波数と振幅位置のペアや時間と振幅位置のペアがある。測定器６０が通常モードのとき、値には、例えば、マーカの位置に基づく周波数または時間値と、表示トレースの対応する振幅値がある。代替として、値は、グラフ上のトレースに対するマーカの相対位置に基づくデルタ値でもよい。
【０００７】
例えば、図２は、表示装置６２上に見える簡略化したサンプル画面を示す。表示装置６２に表示された画面の上半分で、グラフ２１は、トレース２３とマーカ２５を有する。グラフ２１の上に、周波数値と振幅値（１ミリワット（ｄＢｍ）とも言われるデシベル単位の）が、グラフ２１上のマーカ２５の現行位置の現行値としてリストされている。
【０００８】
表示装置６２に表示された画面の下半分に、リミット・ライン表２２が示されている。リミット・ライン表２２の「＊」は、リミット・ライン表２２内の現行入力位置を示す。
【０００９】
ユーザが、（図１に示される）キーの列６１から、図２に示されたソフトキーラベル４１に対応するソフトキーを選択することによって、マーカ２５の現行位置によって表された現行値をリミット・ライン表（ｌｉｍｉｔ  ｌｉｎｅ  ｔａｂｌｅ）２２に追加することができる。マーカ２５の位置によって表された値をライン表（ｌｉｎｅ  ｔａｂｌｅ）に追加するときにソフトキーラベル４２を使用することができる。マーカ位置に対応する値を補正表（ｃｏｒｒｅｃｔｉｏｎ  ｔａｂｌｅ）に追加するときにソフトキーラベル４３を使用することができる。
【００１０】
図３は、ユーザが、（図１に示される）キーの列６１から、図３に示したソフトキーラベル４１に対応するソフトキーを選択した結果を示す。グラフ２１上のマーカ２５の現行位置に関してグラフ２１の上にリストされた周波数（ｆｒｅｑｕｅｎｃｙ）値と振幅（ａｍｐｌｉｔｕｄｅ）値が、リミット・ライン表２２の１行目に入力される。リミット・ライン表２２内の現行入力位置を示すリミット・ライン表２２内の「＊」は、新しい現行入力位置を示すために下に移動される。
【００１１】
図４は、ユーザがマーカ２５を移動させた結果を示す。例えば、ユーザは、図１に示したつまみ６３を使用してマーカ２５を移動させる。図４に示すように、マーカ２５が移動されたとき、グラフ２１上のマーカ２５の現行位置の現行値としてリストされた周波数値と振幅値は、マーカ２５の新しい位置を反映するように変更される。グラフ２１に表示されたポイント３１は、リミット・ライン表２２内の現行入力によって定義されたリミット・ライン（現行のリミット・ポイント）を表す。
【００１２】
図５は、ユーザが、（図１に示される）キーの列６１から、図５に示したソフトキーラベル４１に対応するソフトキーを選択した結果を示す。グラフ２１上のマーカ２５の現行位置の、グラフ２１上にリストされた周波数値と振幅値が、リミット・ライン表２２の２行目に入力される。リミット・ライン表２２内の現行入力位置を示すリミット・ライン表２２内の「＊」は、新しい現行入力位置をマークするために下に移動する。グラフ２１に表示されたライン２４は、リミット・ライン表２２内の現行入力によって定義されたリミット・ラインを表す。
【００１３】
図６は、ユーザが、マーカ２５を移動させ、（図１に示される）キーの列６１から、図６に示したソフトキーラベル４１に対応するソフトキーを選択した結果を示す。図６に示したように、マーカ２５が移動されたとき、グラフ２１上のマーカ２５の現行位置に関する現行値としてリストされた周波数値と振幅値が、マーカ２５の新しい位置を反映するように変更される。ユーザがソフトキーを選択したとき、グラフ２１上のマーカ２５の現行位置に関してグラフ２１上にリストされた周波数値と振幅値は、リミット・ライン表２２の３行目に入力される。リミット・ライン表２２内の現行入力位置を示すリミット・ライン表２２内の「＊」は、新しい現行入力位置を示すために下に移動される。グラフ２１に表示されたライン２４は、リミット・ライン表２２内の現行入力によって定義されたリミット・ラインを表す。
【００１４】
図７は、ユーザが、マーカ２５を移動させて、（図１に示される）キーの列６１から、ソフトキーラベル４１に対応するソフトキーを選択して、リミット・ライン表２２にさらに３つの入力を入力した結果を示す。マーカ２５を移動するたびに、グラフ２１上のマーカ２５の現行位置に関する現行値としてリストされる周波数値とデシベル（ｄＢｍ）値が、マーカ２５の新しい位置を反映するように変更される。グラフ２１上のマーカ２５の現行位置に関してグラフ２１上にリストされた周波数値と振幅値は、ユーザが、（図１に示される）キーの列６１から、ソフトキーラベル４１に対応するソフトキーを選択したときに、リミット・ライン表２２の現行入力行に入力される。リミット・ライン表２２内の現行入力位置を示すリミット・ライン表２２内の「＊」は、それぞれの新しい現行入力位置を示すために下に移動される。グラフ２１に示したライン２４は、リミット・ライン表２２内の現行入力によって定義されたリミット・ラインを表す。
【００１５】
図８において、リミット・ライン表２２内の現行入力位置を示すリミット・ライン表２２内の「＊」が、リミット・ライン表２２内で上に移動されている。例えば、これは、ユーザが測定器６０のキー６４（図１に示した）のうちの方向キーを使用することにより行われる。図８は、また、ユーザがマーカ２５を移動させた結果を示す。図８に示したように、マーカ２５が移動されたとき、グラフ２１の上のマーカ２５の現行位置に関する現行値としてリストされる周波数値と振幅値が、マーカ２５の新しい位置を反映するように変更される。
【００１６】
図９は、ユーザが、（図１に示される）キーの列６１から、図９に示したソフトキーラベル４１に対応するソフトキーを選択した結果を示す。グラフ２１上のマーカ２５の現行位置に関してグラフ２１上にリストされた周波数値と振幅値が、以前に示された現行入力位置に入力される。リミット・ライン表２２内の現行入力位置を示すリミット・ライン表２２内の「＊」は、新しい現行入力位置を示すためにリミット・ライン表２２の下方に移動される。グラフ２１に表示されたライン２４は、リミット・ライン表２２内の現行入力によって定義されたリミット・ラインを表す。
【００１７】
以上の考察は、単に本発明の例示的な方法と実施形態を開示し示す。本発明が、本発明の趣旨または本質的特徴から逸脱することなく他の特定の形態で実施できることは当業者に理解されるであろう。
【００１８】
例えば、測定器６０が固定モードのときのデータポイントの入力を実例として使用した。固定モードでは、周波数値（または時間値）と振幅は両方とも、ユーザがソフトキーを選択したときに入力される。一方、通常モードでは、マーカは周波数（または時間）値だけを示すために使用され、振幅は、その周波数（または時間）値においてトレース２３によって表された信号の振幅に基づいて計算される。あるいは、マーカデルタモードでは、グラフ上のマーカとトレースの差に基づくデルタ値が入力される。また、入力がソフトキーを使用して選択されたように示されているが、ソフトキーではないキーを使用した選択を使用することもできる。
【００１９】
したがって、本発明の開示は、添付の特許請求の範囲に示した本発明の範囲の制限ではなく例示であるように意図されている。
【図面の簡単な説明】
【００２０】
【図１】電子測定器の簡略化した正面図である。
【図２】本発明の実施形態による表へのデータ点の入力を示す図である。
【図３】本発明の実施形態による表へのデータ点の入力を示す図である。
【図４】本発明の実施形態による表へのデータ点の入力を示す図である。
【図５】本発明の実施形態による表へのデータ点の入力を示す図である。
【図６】本発明の実施形態による表へのデータ点の入力を示す図である。
【図７】本発明の実施形態による表へのデータ点の入力を示す図である。
【図８】本発明の実施形態による表へのデータ点の入力を示す図である。
【図９】本発明の実施形態による表へのデータ点の入力を示す図である。
【符号の説明】
【００２１】
２１：グラフ
２２：表
２５：マーカ
６０：測定器
６１、６４：キー
【図１】
2006343332.tif 000003
【図２】
2006343332.tif 000004
【図３】
2006343332.tif 000005
【図４】
2006343332.tif 000006
【図５】
2006343332.tif 000007
【図６】
2006343332.tif 000008
【図７】
2006343332.tif 000009
【図８】
2006343332.tif 000010
【図９】
2006343332.tif 000011